(57)【要約】【課題】本発明は、サイズ調節装置を有する伸縮帽子に関する。【解決手段】本発明の一実施形態に係る帽子は、少なくとも一方向に伸縮可能なクラウン部と、前記クラウン部下部に配置され、汗を吸収する少なくとも一方向に伸縮可能な汗吸収部と、前記クラウン部に設置され、頭のサイズに合うようにサイズ調節が可能なサイズ調節装置を含むことを特徴とする。このような構成によれば、帽子のクラウン部とその下部周縁に設けられた汗吸収部を伸縮可能に構成し、サイズ調節装置によって所定サイズにサイズ調節した後、頭のサイズに合うように調節され、圧迫感を感じたり緩さを感じることを防ぐことができる。【選択図】図１
2013122103.tif 000002
【特許請求の範囲】
【請求項１】
少なくとも一方向に伸縮可能なクラウン部と、前記クラウン部の下部に配置され、汗を吸収する少なくとも一方向に伸縮可能な汗吸収部と、前記クラウン部に設置され、頭のサイズに合うようにサイズ調節が可能なサイズ調節装置を含む、サイズ調節装置を備えた伸縮帽子。
【請求項２】
前記クラウン部は、少なくとも一方向に伸縮性を有するファブリック（ｆａｂｒｉｃ）パネルを複数枚結合してなされる、請求項１に記載のサイズ調節装置を備えた伸縮帽子。
【請求項３】
前記汗吸収部は、本体部が伸縮性バンドで構成される、請求項１に記載のサイズ調節装置を備えた伸縮帽子。
【請求項４】
前記汗吸収部は、本体部が伸縮性バンドとそれをカバーリングするカバー部からなる、請求項１に記載のサイズ調節装置を備えた伸縮帽子。
【請求項５】
前記サイズ調節装置は、雄雌締結具が形成された一対の板状部材、紐、バックル、バンド形態のうちの１つである、請求項１に記載のサイズ調節装置を備えた伸縮帽子。
【請求項６】
前記ファブリック（ｆａｂｒｉｃ）パネルは織物からなる、請求項２に記載のサイズ調節装置を備えた伸縮帽子。
【請求項７】
前記ファブリック（ｆａｂｒｉｃ）パネルは編物からなる、請求項２に記載のサイズ調節装置を備えた伸縮帽子。
【請求項８】
前記サイズ調節装置は、雄雌締結具が形成された一対の板状部材、紐、バックル、バンド形態のうちの少なくとも１つ以上の結合によってなされる、請求項５に記載のサイズ調節装置を備えた伸縮帽子。
【発明の詳細な説明】
【技術分野】
【０００１】
本発明は、サイズ調節装置を有する伸縮帽子に関し、頭にぴったり合うようにフィット（ｆｉｔ）感を与え、圧迫感を感じたり緩さを感じることを防ぐことがきるサイズ調節装置を備えた伸縮帽子に関する。
【背景技術】
【０００２】
一般的に、頭のサイズに関係なく汎用的に使用することができるサイズ調節帽子として、帽子のクラウン部の下部に頭囲方向の長さを調節するためのサイズ調節装置が設置されるタイプが多く使用されている。
【０００３】
このようなサイズ調節装置は、サイズ調節が容易であり、サイズに合うように調節した後には簡単に外れないという長所があるため、多く利用されている。
【０００４】
しかし、このようなサイズ調節装置は、短く調節すれば長時間の着用時に激しい圧迫感を感じるようになり、長く調節すれば緩さを感じるようになるという問題点がある。
【０００５】
特に、このようなサイズ調節装置を備えた従来の帽子は、クラウン部内側の下部周縁に沿って汗吸収部が提供されており、額を圧迫したり緩さが感じられる着用感がそのまま額に伝達されるという問題点がある。
【０００６】
すなわち、このようなサイズ調節装置を備えた帽子は、頭にぴったり合う着用感やフィット（ｆｉｔ）感を重要視する最近の人たちによって敬遠されるようになる。
【発明の概要】
【発明が解決しようとする課題】
【０００７】
本発明は、このような問題点を解消するために案出されたものであって、本発明は、自分の頭にぴったり合うフィット感を提供するサイズ調節装置を備えた帽子を提供することを目的とする。
【課題を解決するための手段】
【０００８】
本発明の一実施形態に係るサイズ調節装置を備えた伸縮帽子は、少なくとも一方向に伸縮可能なクラウン部と、前記クラウン部内側の下部周縁に配置される少なくとも一方向に伸縮可能な汗吸収部と、前記クラウン部に設置され、クラウン部の頭囲方向の長さを調節するサイズ調節装置を含むことを特徴とする。
【発明の効果】
【０００９】
本発明の一実施形態に係るサイズ調節装置を備えた伸縮帽子によれば、サイズ調節装置によって所定サイズにサイズ調節した後、少なくとも一方向に伸縮可能なクラウン部と汗吸収部によって頭のサイズに合うように調節することができ、圧迫感を感じたり緩さを感じることを防ぎ、自分の頭にぴったり合うフィット感を提供するサイズ調節装置を備えた帽子を提供することができる。
【図面の簡単な説明】
【００１０】
【図１】本発明の一実施形態に係る帽子を下部から見た下部斜視図である。
【図２Ａ】本発明の一実施形態に係る帽子に使用された汗吸収部を説明するための図１のＩＩ−ＩＩ線に沿って切断した断面図である。
【図２Ｂ】本発明の一実施形態に係る帽子に使用された汗吸収部を説明するための図１のＩＩ−ＩＩ線に沿って切断した断面図である。
【図３】本発明の一実施形態に係るサイズ調節装置を利用した帽子の使用状態図である。
【図４】非伸縮性クラウン部、非伸縮性汗吸収部、サイズ調節装置を含む帽子の比較例と伸縮性クラウン部、伸縮性汗吸収部、サイズ調節装置を含む実施形態の荷重による着用感を表示したグラフである。
【発明を実施するための形態】
【００１１】
以下、本発明の好ましい実施形態について、添付の図面を参照しながら詳しく説明する。
【００１２】
まず、各図面の構成要素に参照符号を付加することにおいて、同じ構成要素に対しては、たとえ他の図面上に表示されていても、可能な限り同じ符号を有するようにしていることに留意しなければならない。
【００１３】
また、本発明を説明するにおいて、関連する公知構成または機能に対する具体的な説明が本発明の要旨を不明瞭にし得ると判断される場合には、その詳細な説明は省略する。
【００１４】
本明細書において、帽子は、野球帽だけではなく、ハット（ｈａｔ）やバイザーなどの多様な帽子の形態を含み、サイズ調節装置は、プラスチック、布、革などの多様な素材からなり、雄雌結合型、紐、バンド、バックル形態で提供されてもよい。このような多様な素材と多様な形態は結合形態で提供されてもよいが、例えば、紐とバックル形態が結合したり、雄雌結合型とバンドが結合したり、布とプラスチック、革などの素材が結合した形態で提供されてもよい。サイズ調節装置の素材と形態は、クラウン部の頭囲方向の長さを調節することができればこれに限定されることなく、すべて適用が可能である。
【００１５】
以下、図１〜図３を参照しながら、本発明の一実施形態に係るサイズ調節装置を備えた伸縮帽子について詳細に説明する。
【００１６】
図１〜図３を参照すれば、本発明の一実施形態に係る帽子１００は、頭に被るものであって、少なくとも一方向に伸縮可能なクラウン部１０１と、前記クラウン部１０１の下部周縁の少なくとも一部に配置され、日光を遮るつば部１０３と、前記クラウン部１０１内側の下部周縁に配置され、汗を吸収する少なくとも一方向に伸縮可能な汗吸収部１０５と、前記クラウン部１０１に設置され、前記クラウン部１０１の頭囲方向の長さを頭のサイズに合うように調節可能なサイズ調節装置１１０を含む。
【００１７】
本発明の一実施形態に係る帽子１００において、前記クラウン部１０１は、図１に示すように、少なくとも一方向、例えば、クラウン部１０１の頭囲方向、高さ方向、バイアス方向などの多様な方向に全体的に伸縮可能であってもよく、または、経糸および緯糸の二軸の概念で見たとき、経糸および緯糸の両軸に伸縮可能であってもよく、好ましくは、緯糸が伸縮糸からなる伸縮性を有するファブリックパネル１０１ａでなされてもよい。前記ファブリックパネル１０１ａは、織物だけではなく、頭に合うように伸縮可能であれば、編物などによってなされてもよい。
【００１８】
前記汗吸収部１０５は、自由に配置される上段部１０５−１と、前記クラウン部１０１の下部周縁に縫製結合する下段部１０５−２を含み、本体部１０５−３が伸縮糸で構成された伸縮性バンド１０５−３ａだけで構成されてもよく、前記伸縮性バンド１０５−３ａがカバー部１０５−３ｂによって少なくとも一面がカバーリングされてもよい。
【００１９】
図３に示すように、本発明の一実施形態に係る帽子１００において、前記サイズ調節装置１１０によって所定サイズにサイズ調節した後に着用すれば、前記クラウン部１０１とその下部周縁に備えられた汗吸収部１０５が伸縮が必要な方向に伸縮し、頭にぴったり合うように調節され、圧迫感を感じたり緩さを感じることを防ぐことができる。
【００２０】
本発明の一実施形態に係る帽子１００において、前記サイズ調節装置１１０は、クラウン部１１０のドーム形状の開口部１００ａの下部両側間に、帽子１００の頭囲方向の長さを調節するために設置される。
【００２１】
本発明の一実施形態に係るサイズ調節装置１１０は、固定サイズずつ変化することができる雄雌締結具が形成された一対の板状部材でなされてもよく、前記雄雌締結具はスナップボタン形態であってもよく、フックまたはループ形態で陽刻または陰刻の形態で提供されてもよく、フックまたはループ形態が形成された織布形態で縫製結合されてもよい。
【００２２】
また、前記サイズ調節装置１１０は、プラスチック、布、革などの多様な素材でなされてもよく、紐形態であってもよく、バックル形態であってもよく、バンド形態であってもよい。
【００２３】
本発明の一実施形態において、前記サイズ調節装置１１０の代わりに、本発明の一実施形態に係る汗吸収部１０５を前記開口部１００ａを通じて露出させて利用してもよい。
【００２４】
以下、図４を参照しながら、非伸縮性クラウン部、非伸縮性汗吸収部、サイズ調節装置を含む帽子に比べ、伸縮性クラウン部、伸縮性汗吸収部、サイズ調節装置を含む本発明の場合には、多様なサイズにおいてぴったり合う着用感を提供することができることを詳察する。
【００２５】
図４は、非伸縮性クラウン部、非伸縮性汗吸収部、サイズ調節装置を含む帽子の比較例と、伸縮性クラウン部、伸縮性汗吸収部、サイズ調節装置を含む実施形態の荷重による着用感を表示したグラフである。
【００２６】
ここで、着用感は、帽子を被ったときに頭に加わる荷重で表示し、１０００ｇｆ〜２０００ｇｆであれば「心地よくフィット」することを意味し、２０００ｇｆ〜３０００ｇｆであれば「ぴったりフィット」することを意味し、３０００ｇｆ〜４０００ｇｆであれば「若干小さい」を意味し、４０００ｇｆ〜５０００ｇｆであれば「とても小さい」を意味し、５０００ｇｆを超えれば「着用不可能」を意味する。
【００２７】
図４のグラフから分かるように、頭囲サイズを５７ｃｍにサイズ調節装置を調節した場合に、比較例は、５７ｃｍでは心地よくフィットし、５７．５ｃｍではぴったりしたフィット感を提供し、５８．５ｃｍでは着用不可能であったが、実験例は、５７ｃｍから５８ｃｍまでは心地よくフィットし、５８．５ｃｍ〜５９．５ｃｍではぴったり合う着用感を提供し、６２．０ｃｍ以上では着用不可であった。
【００２８】
すなわち、実験例の場合には、５７ｃｍ〜５９．５ｃｍに対し、サイズ調節装置１１０を１度だけ調節した後にも、サイズ調節装置１１０を調節する必要なく着用が可能であった。
【符号の説明】
【００２９】
１０１：クラウン部
１０５：汗吸収部
１１０：サイズ調節装置
【図１】
2013122103.tif 000003
【図２Ａ】
2013122103.tif 000004
【図２Ｂ】
2013122103.tif 000005
【図３】
2013122103.tif 000006
【図４】
2013122103.tif 000007